(57)【要約】【課題】情報を提示する提示装置における人物の状態に応じて通信量を制御することができる送信装置、送信方法、及びプログラムを提供する。【解決手段】送信部は、情報を提示する提示装置に提示情報を送信し、利用者状態情報取得部は、前記提示装置の利用者の状態を示す利用者状態情報を取得し、制御部は、前記利用者状態情報に基づいて前記提示情報の情報量を制御する。また、本実施形態は、送信装置、送信方法、又はプログラムのいずれの形態でも実現することができる。【選択図】図３
2018207445.tif 000002
【特許請求の範囲】
【請求項１】
情報を提示する提示装置に提示情報を送信する送信部と、
前記提示装置における利用者の状態を示す利用者状態情報を取得する利用者状態情報取得部と、
制御部と、を備え、
前記制御部は、
前記利用者状態情報に基づいて前記提示情報の情報量を制御する、
送信装置。
【請求項２】
前記制御部は、
前記利用者状態情報が利用者の不検出を示すとき、前記利用者状態情報が利用者の検出を示すときよりも前記情報量を低減する
請求項１に記載の送信装置。
【請求項３】
前記利用者状態情報は、前記提示装置と検出された利用者との間の距離の情報を含み、
前記制御部は、前記距離が所定の距離よりも大きいとき、前記距離が前記所定の距離以下であるときよりも前記情報量を低減する
請求項１または請求項２に記載の送信装置。
【請求項４】
前記制御部は、
前記利用者状態情報に、前記提示装置と関連付けて登録された登録機器への前記利用者の注目を示す注目情報が含まれるとき、前記注目情報が含まれないときよりも前記情報量を低減する
請求項１から請求項３のいずれか一項に記載の送信装置。
【請求項５】
前記利用者状態情報は、前記利用者の視線方向を示す情報を含み、
前記制御部は、
前記視線方向が前記利用者から前記提示装置への方向である提示方向とは異なるとき、前記視線方向が前記提示方向であるときよりも前記情報量を低減する
請求項１から請求項４のいずれか一項に記載の送信装置。
【請求項６】
前記制御部は、
前記視線方向が前記提示装置と関連付けて登録された登録機器への方向であるとき、前記視線方向が前記提示装置であるときよりも前記情報量を低減する
請求項５に記載の送信装置。
【請求項７】
前記提示情報は映像を含み、
前記制御部は、
前記映像のフレームレートの低下、前記映像の解像度の低下、及び前記映像の送信停止の少なくともいずれかを実行して、前記情報量を低減する
請求項１から請求項６のいずれか一項に記載の送信装置。
【請求項８】
前記提示情報を供給する情報供給装置から前記提示情報を受信する受信部を備え、
前記制御部は、
前記情報量の低減を示す情報量低減要求を前記情報供給装置に送信して、前記情報量を低減させる
請求項１から請求項６のいずれか一項に記載の送信装置。
【請求項９】
送信装置における送信方法であって、
前記送信装置が、情報を提示する提示装置に、提示情報を送信する送信過程と、
前記提示装置の利用者の状態を示す利用者状態情報を取得する利用者状態取得過程と、
前記利用者状態情報に基づいて前記提示情報の情報量を制御する情報量制御過程と、
を有する送信方法。
【請求項１０】
送信装置のコンピュータに、
情報を提示する提示装置に、提示情報を送信する送信手順、
前記提示装置の利用者の状態を示す利用者状態情報を取得する利用者状態取得手順、
前記利用者状態情報に基づいて前記提示情報の情報量を制御する情報量制御手順、
を実行させるためのプログラム。
【発明の詳細な説明】
【技術分野】
【０００１】
本発明は、送信装置、送信方法、及びプログラムに関する。
【背景技術】
【０００２】
現在、第５世代移動通信方式（５Ｇ：５ｔｈ  ｇｅｎｅｒａｔｉｏｎ  ｍｏｂｉｌｅ  ｎｅｔｗｏｒｋｓ）の規格が進められている。５Ｇでは、Ｍ２Ｍ（Ｍａｃｈｉｎｅ  ｔｏ  Ｍａｃｈｉｎｅ；マシンツーマシン）通信、ＩｏＴ（Ｉｎｔｅｒｎｅｔ  ｏｆ  Ｔｈｉｎｇｓ；モノのインターネット）などの普及に伴い、多様な機器が接続されることが見込まれる。そのため、産業界や公共施設に限られず、一般家庭など社会のあらゆる分野において、限りあるトラフィックを有効に活用することが一層重要になっている。
接続対象の機器には、映像音響（ＡＶ：Ａｕｄｉｏ  Ｖｉｓｕａｌ）機器、ゲーム機器などの家庭電化製品が含まれる。とりわけ、動画像で構成される映像の実時間伝送では、トラフィックが大きいためネットワークに対して高い負荷を与える。また、昨今では、ネットワークを介して提供されるＶＯＤ（Ｖｉｄｅｏ−Ｏｎ−Ｄｅｍａｎｄ）サービス、放送通信連携サービスにおいて、提供対象となる映像の高品質化が見込まれる。映像の高品質化により映像の解像度やフレームレートが高くなると、トラフィックがますます増加する。
【０００３】
他方、映像を圧縮して得られる圧縮映像の伝送することが従来から提案されている。例えば、特許文献１に記載の映像伝送表示システムは、入力映像を映像表示装置の解像度にあわせ縮小処理し、縮小処理したあと圧縮処理し伝送する映像伝送装置と、圧縮した映像をネットワーク経由で受信し表示する映像表示装置とを備える。
【先行技術文献】
【特許文献】
【０００４】
【特許文献１】特開２００３−４６９７０号公報
【発明の概要】
【発明が解決しようとする課題】
【０００５】
しかしながら、ユーザは常に映像を表示する画面を見ているとは限らない。ユーザが画面を見ていないときは、必ずしも高品質の動画を表示する必要はない。この点、特許文献１に記載の映像伝送装置は、ユーザの状態に関わらず映像を送出する。ユーザが見ていない映像の伝送は、無用なトラフィックとなる。
【０００６】
本発明は上記の点に鑑みてなされたものであり、情報を提示する提示装置における人物の状態に応じて通信量を制御することができる送信装置、送信方法、及びプログラムを提供する。
【課題を解決するための手段】
【０００７】
（１）本発明は上記の課題を解決するためになされたものであり、本発明の一態様は、情報を提示する提示装置に提示情報を送信する送信部と、前記提示装置の利用者の状態を示す利用者状態情報を取得する利用者状態情報取得部と、制御部と、を備え、前記制御部は、前記利用者状態情報に基づいて前記提示情報の情報量を制御する送信装置である。
【０００８】
（２）また、本発明の一態様は、上記の送信装置において、前記制御部は、前記利用者状態情報が利用者の不検出を示すとき、前記利用者状態情報が利用者の検出を示すときよりも前記情報量を低減する。
【０００９】
（３）また、本発明の一態様は、上記の送信装置において、前記利用者状態情報は、前記提示装置と検出された利用者との間の距離の情報を含み、前記制御部は、前記距離が所定の距離よりも大きいとき、前記距離が前記所定の距離以下であるときよりも前記情報量を低減する。
【００１０】
（４）また、本発明の一態様は、上記の送信装置において、前記制御部は、前記利用者状態情報に、前記提示装置と関連付けて登録された登録機器への前記利用者の注目を示す注目情報が含まれるとき、前記注目情報が含まれないときよりも前記情報量を低減する。
【００１１】
（５）また、本発明の一態様は、上記の送信装置において、前記利用者状態情報は、前記利用者の視線方向を示す情報を含み、前記制御部は、前記視線方向が前記利用者から前記提示装置への方向である提示方向とは異なるとき、前記視線方向が前記提示方向であるときよりも前記情報量を低減する。
【００１２】
（６）また、本発明の一態様は、上記の送信装置において、前記制御部は、前記視線方向が前記提示装置と関連付けて登録された登録機器への方向であるとき、前記視線方向が前記提示装置であるときよりも前記情報量を低減する。
【００１３】
（７）また、本発明の一態様は、前記提示情報は映像を含み、前記制御部は、前記映像のフレームレートの低下、前記映像の解像度の低下、及び前記映像の送信停止の少なくともいずれかを実行して、前記情報量を低減する。
【００１４】
（８）また、本発明の一態様は、上記の送信装置において、前記提示情報を供給する情報供給装置から前記提示情報を受信する受信部を備え、前記制御部は、前記情報量の低減を示す情報量低減要求を前記情報供給装置に送信して、前記情報量を低減させる。
【００１５】
（９）また、本発明の一態様は、送信装置における送信方法であって、前記送信装置が、情報を提示する提示装置に、提示情報を送信する送信過程と、前記提示装置の利用者の状態を示す利用者状態情報を取得する利用者状態取得過程と、前記利用者状態情報に基づいて前記提示情報の情報量を制御する情報量制御過程と、を有する送信方法である。
【００１６】
（１０）また、本発明の一態様は、送信装置のコンピュータに、情報を提示する提示装置に、提示情報を送信する送信手順、前記提示装置の利用者の状態を示す利用者状態情報を取得する利用者状態取得手順、前記利用者状態情報に基づいて前記提示情報の情報量を制御する情報量制御手順、を実行させるためのプログラムである。
【発明の効果】
【００１７】
本発明によれば、情報を提示する提示装置における人物の状態に応じて通信量を制御することができる。
【図面の簡単な説明】
【００１８】
【図１】第１の実施形態に係るデータ伝送システムの概略を示す概念図である。
【図２】検出エリアにおける人物の存否の例を示す図である。
【図３】第１の実施形態に係るデータ伝送システムを示すブロック図である。
【図４】第１の実施形態に係る検出処理の一例を示すフローチャートである。
【図５】第１の実施形態に係る送信処理の一例を示すフローチャートである。
【図６】視線方向の例を示す図である。
【図７】第２の実施形態に係る検出処理の一例を示すフローチャートである。
【図８】第３の実施形態に係るデータ伝送システムの概略を示す概念図である。
【図９】ユーザ端末装置への注目の有無の例を示す図である。
【図１０】第３の実施形態に係る検出処理の一例を示すフローチャートである。
【図１１】第３の実施形態に係る送信処理の一例を示すフローチャートである。
【図１２】検出エリアにおける人物の距離の例を示す図である。
【図１３】第４の実施形態に係る検出処理の一例を示すフローチャートである。
【図１４】第４の実施形態に係る送信処理の一例を示すフローチャートである。
【図１５】トラフィック緩和区間の一例を示す概念図である。
【図１６】トラフィック緩和区間の他の例を示す概念図である。
【図１７】制御テーブルの一例を示す図である。
【図１８】情報量制御の一例を示すフローチャートである。
【発明を実施するための形態】
【００１９】
（第１の実施形態）
以下、図面を参照しながら本発明の第１の実施形態について説明する。
まず、本実施形態に係るデータ伝送システムの一例であるデータ伝送システムＳ１について説明する。
【００２０】
図１は、本実施形態に係るデータ伝送システムＳ１の概略を示す概念図である。
データ伝送システムＳ１は、サーバ装置１０と、表示端末装置２０と、を含んで構成される。サーバ装置１０は、提示対象となる提示情報を保管し、保管している提示情報を表示端末装置２０に送信する送信装置の一形態である。提示情報は、表示端末装置２０などの提示装置に提示させる情報である。提示とは、人に示すことを意味し、例えば、映像などの表示、音声などの再生が該当する。提示情報には、例えば、動画像から構成される映像が含まれる。また、提示情報には、その動画像と同期している音声が含まれてもよい。提示情報は、映像や音声などのように完全性（Ｉｎｔｅｇｒｉｔｙ）が要求されない情報であればよい。完全性が要求されないとは、一部の要素が欠落しても品質の低下として認知されうるが、欠落せずに残された要素により元の情報の価値が維持されることを意味する。提示情報は、予め制作された放送番組、映画などのコンテンツであってもよいし、その時点で行われている通信において伝送される映像、音声その他のデータであってもよい。
【００２１】
サーバ装置１０は、表示端末装置２０の周囲における人物の状態を示す人物状態情報を表示端末装置２０から取得する。人物状態情報は、例えば、人物の検出の有無を示す情報である。サーバ装置１０は、取得した人物状態情報に基づいて送信対象の提示情報の情報量を制御する。例えば、人物状態情報が人物の不検出を示すとき、サーバ装置１０は、提示情報の情報量を人物状態情報が人物の検出を示すときよりも低減する。サーバ装置１０から情報量を低減した提示情報が送出されるので、本技術を採用しない場合（情報量を低減しない場合）に比べて提示情報の伝送に係るネットワーク資源の活用が図られる。
なお、サーバ装置１０は、例えば、セットトップボックス、テレビジョン受信装置、レコーダ装置、ビデオサーバ装置、パーソナルコンピュータ（ＰＣ：Ｐｅｒｓｏｎａｌ  Ｃｏｍｐｕｔｅｒ）、タブレット端末装置、多機能携帯電話機（スマートフォン）など、いずれの形態でもよい。
【００２２】
表示端末装置２０は、サーバ装置１０から提示情報を受信し、受信した提示情報を提示する提示装置の一形態である。表示端末装置２０は、受信した映像を表示する表示部（後述）を備える。表示端末装置２０は、映像と同期して受信した音声を再生する再生部（図示せず）を備える。
なお、表示端末装置２０は、モニタ（ディスプレイ）装置、テレビジョン受信装置など、いずれの形態でもよい。また、表示端末装置２０に代えて、他の表示装置に無線又は有線で接続され、当該他の表示装置に映像と音声を出力する中継機器が用いられてもよい。中継機器は、必ずしも表示部を備えていなくてもよい。他の表示装置との接続において、例えば、ＵＳＢ（Ｕｎｉｖｅｒｓａｌ  Ｓｅｒｉａｌ  Ｂｕｓ）、ＨＤＭＩ（登録商標）（Ｈｉｇｈ−Ｄｅｆｉｎｉｔｉｏｎ  Ｍｕｌｔｉｍｅｄｉａ  Ｉｎｔｅｒｆａｃｅ）に規定された方式が用いられてもよい。
【００２３】
表示端末装置２０は、検出部２６０が検出した検出信号に基づいて、その周囲における人物の状態を判定する。表示端末装置２０は、例えば、図２に示すように所定の検出エリア内における人物の検出の有無を判定する。検出エリアは、検出信号に基づいて、その人物の存在を判定できる領域である。図２（Ａ）に示すように、ユーザＡが検出エリア内に存在する場合には、表示端末装置２０は、検出エリア内で人物を検出したと判定する。図２（Ｂ）に示すように、ユーザＡが検出エリア外に存在する場合には、表示端末装置２０は、検出エリア内で人物を検出していないと判定する。表示端末装置２０は、判定した状態を示す人物状態情報をサーバ装置１０に送信する。
【００２４】
このような構成により、表示端末装置２０において人物が検出されないとき、人物が検出されるときよりも情報量が少なくなった提示情報が伝送される。そのため、表示端末装置２０が提示する提示情報に接している人物がいないときに生ずる無用なトラフィックが抑制される。よって、ネットワークの有効活用が促進される。他方、伝送される提示情報は完全に停止されない。そのため、検出エリア外で、かつ表示端末装置２０が提示する提示情報が届く位置にユーザがいて、提示情報に注目することなく何かの動作を行っているときであっても、提示情報に接することで（ながら視聴）、その提示情報が表す内容の一部又は全部を認知することができる。
【００２５】
（サーバ装置）
次に、サーバ装置１０の構成について説明する。次の説明では、サーバ装置１０がセットトップボックスとして実現されている場合を例にする。
図３は、本実施形態に係るデータ伝送システムＳ１を示すブロック図である。
サーバ装置１０は、送受信部１１０と、制御部１２０と、記憶部１３０と、操作入力部１４０と、を含んで構成される。
【００２６】
送受信部１１０は、受信部１１２と、通信部１１４と、を含んで構成される。
受信部１１２は、他装置から提示情報を受信する。受信部１１２は、例えば、放送事業者の放送設備から送信された放送信号を受信するチューナである。放送信号を介して、放送番組を構成する映像、音声、文字などの提示情報が搬送される。受信部１１２は、制御部１２０の提示情報処理部１２２（後述）から通知された放送チャンネルの放送信号を受信し、当該放送信号により搬送された提示情報を抽出する。受信部１１２は、抽出した提示情報を制御部１２０に出力する。
【００２７】
通信部１１４は、他装置との間でネットワークＮＷを介して各種のデータを送信又は受信する。通信部１１４は、例えば、通信インタフェースである。通信部１１４は、通信方式として、例えば、代表的な無線通信方式である５Ｇ通信方式や、ＩＥＥＥ８０２．１１ａｃ通信方式等を用いる。通信部１１４は、制御部１２０から入力される提示情報を表示端末装置２０に送信する。通信部１１４は、制御部１２０から各種の制御情報を受信し、受信した制御情報を表示端末装置２０に送信する。制御情報には、人物状態情報の検出に対する開始要求、停止要求がある。
【００２８】
制御部１２０は、サーバ装置１０の機能を制御する。制御部１２０は、提示情報処理部１２２と、人物状態取得部１２４と、情報量制御部１２６と、を含んで構成される。
提示情報処理部１２２は、例えば、操作入力部１４０から入力される操作信号に基づいて提示情報の提供に係る処理を行う。提示情報処理部１２２は、提示情報の提供に対する開始要求（ＯＮ）を示す操作信号が入力されるとき、表示端末装置２０への提示情報の送信を開始する。提示情報処理部１２２は、提示情報を送信する際、受信部１１２から入力される提示情報を情報量制御部１２６に出力する。また、提示情報処理部１２２は、人物状態情報の検出処理に対する開始要求を、通信部１１４を介して表示端末装置２０に送信する。
【００２９】
提示情報処理部１２２は、提示情報の提供に対する停止要求（ＯＦＦ）を示す操作信号が入力されるとき、表示端末装置２０への提示情報の送信を停止する。このとき、提示情報処理部１２２は、提示情報の情報量制御部１２６への出力を停止する。また、提示情報処理部１２２は、人物の状態の検出処理に対する停止要求を、通信部１１４を介して表示端末装置２０に送信する。
提示情報処理部１２２は、操作入力部１４０から放送チャンネルを示す操作信号が入力されるとき、その放送チャンネルの情報を受信部１１２に通知する。
【００３０】
人物状態取得部１２４は、表示端末装置２０から通信部１１４を介して人物状態情報を受信する。人物状態取得部１２４は、受信した人物状態情報を情報量制御部１２６に出力する。
【００３１】
情報量制御部１２６には、提示情報処理部１２２から提示情報が入力され、人物状態取得部１２４から人物状態情報が入力される。情報量制御部１２６は、人物状態情報が人物の検出を示すとき、入力される提示情報について、その情報量を低減せずにそのまま表示端末装置２０に通信部１１４を介して送信する。情報量制御部１２６は、人物状態情報が人物の不検出を示すとき、入力される提示情報の情報量を低減する。情報量制御部１２６は、情報量を低減する際、例えば、送信対象の映像のフレームレートの低下、解像度の低下、映像の送信停止のいずれか、又はそれらの組み合わせを実行してもよい。情報量制御部１２６は、フレームレートの低下において、提示情報の映像を構成するフレームの一部を棄却し、棄却されずに残ったフレームから映像を再構成する。情報量制御部１２６は、解像度の低下において、提示情報の映像を構成する各フレーム内の画素のうち、一部の画素の信号値を棄却し、棄却されずに残った画素の信号値から映像を再構成する。情報量制御部１２６は、映像の送信停止において、提示情報の映像を棄却する。棄却されずに残った情報、例えば、音声が提示情報として残される。情報量制御部１２６は。情報量が低減した提示情報を表示端末装置２０に通信部１１４を介して送信する。なお、情報量制御部１２６は、その動作を行わない場合も、入力される提示情報を、情報量を低減せずにそのまま表示端末装置２０に送信する。
【００３２】
記憶部１３０は、制御部１２０が取得した各種のデータ、制御部１２０における処理に用いられる各種のデータを記憶する。記憶部１３０は、例えば、ＲＯＭ（Ｒｅａｄ−ｏｎｌｙ  Ｍｅｍｏｒｙ）、ＲＡＭ（Ｒａｎｄｏｍ  Ａｃｃｅｓｓ  Ｍｅｍｏｒｙ）などの記憶媒体で構成される。
【００３３】
操作入力部１４０は、ユーザの操作を受け付け、受け付けた操作に応じて操作信号を生成する。操作入力部１４０は、生成した操作信号を制御部１２０に出力する。操作入力部１４０は、例えば、マウス、タッチセンサなどの汎用の部材で構成されてもよいし、ボタン、つまみ、などの専用の部材で構成されてもよい。操作入力部１４０は、サーバ装置１０に操作信号を出力することができれば、サーバ装置１０とは別体の制御装置（リモートコントローラ）であってもよい。また、操作入力部１４０は、表示端末装置２０と一体化していてもよい。操作入力部１４０がタッチセンサである場合には、表示端末装置２０の表示部２３０（後述）と一体化した単一のタッチセンサとして構成されてもよい。
【００３４】
（表示端末装置）
次に、表示端末装置２０の構成について説明する。次の説明では、表示端末装置２０がモニタ装置である場合を例にする。
表示端末装置２０は、送受信部２１０と、制御部２２０と、表示部２３０と、再生部２４０と、検出部２６０と、を含んで構成される。表示端末装置２０には、検出部２６０が接続される。検出部２６０は、表示端末装置２０に内蔵されてもよいし、表示端末装置２０とは別体であってもよい。
【００３５】
送受信部２１０は、通信部２１４を含んで構成される。
通信部２１４は、他装置との間でネットワークＮＷを介して各種のデータを送信又は受信する。通信部２１４は、例えば、通信インタフェースである。通信部２１４は、通信方式として、サーバ装置１０の通信部１１４と共通の方式を用いる。通信部２１４は、サーバ装置１０から提示情報を受信し、受信した提示情報を制御部２２０に出力する。また、通信部２１４は、サーバ装置１０から開始要求、停止要求などの制御情報を受信し、受信した制御情報を制御部２２０に出力する。通信部２１４は、制御部２２０から入力される人物状態情報をサーバ装置１０に送信する。
【００３６】
提示情報処理部２２２は、サーバ装置１０から通信部２１４を介して受信した提示情報を提示するための処理を行う。提示情報処理部２２２は、受信した提示情報のうち映像を表示部２３０に出力する。提示情報に文字が含まれている場合には、提示情報処理部２２２は、文字を映像に重畳し、文字を重畳した映像を表示部２３０に出力する。提示情報処理部２２２は、受信した提示情報のうち音声を再生部２４０に出力する。
【００３７】
人物状態検出部２２４は、サーバ装置１０から通信部２１４を介して開始要求を受信するとき、検出部２６０から入力される検出信号に基づいて表示端末装置２０の周囲における人物の状態の検出処理を開始する。人物状態検出部２２４は、人物の状態として検出部２６０により検出可能とする検出エリアにおける人物の有無を判定する。人物の有無の判定例については、後述する。人物状態検出部２２４は、判定した人物の状態を示す人物状態情報をサーバ装置１０に通信部２１４を介して送信する。人物状態検出部２２４は、サーバ装置１０から通信部２１４を介して停止要求を受信するとき、人物の状態の検出処理を停止する。
【００３８】
表示部２３０は、制御部２２０から入力される映像を表示する。表示部２３０は、例えば、液晶ディスプレイ（ＬＣＤ：Ｌｉｑｕｉｄ  Ｃｒｙｓｔａｌ  Ｄｉｓｐｌａｙ）、有機エレクトロルミネッセンスディスプレイ（ＯＬＥＤ：Ｏｒｇａｎｉｃ  Ｅｌｅｃｔｒｏｌｕｍｉｎｅｓｃｅｎｃｅ  Ｄｉｓｐｌａｙ）などである。
再生部２４０は、制御部２２０から入力される音声を再生する。再生部２４０は、例えば、スピーカである。
【００３９】
検出部２６０は、人物の状態の検出に用いられる検出信号を取得する。検出部２６０は、例えば、複数の焦電体を感熱素子として備える赤外線センサである。赤外線センサは、検出領域内に所在する物体の表面から放射される赤外線を焦電体に集光し、焦電体に誘起された電圧を増幅して検出信号として制御部２２０に出力する。検出エリアに人物が進入すると、検出エリア内の背景物体から放射される赤外線が人物により遮光されるとともに、人物の表面から放射される赤外線を受光する。このとき、背景物体と人物との間の表面温度や放射率に差異が生じる。そのため、焦電検出器に到来する赤外線のスペクトルや強度が変化するので、その量に応じた電荷が自発分極作用により誘起される。そこで、人物状態検出部２２４は、検出信号の電圧が予め設定された検出電圧よりも高いとき、検出エリアに人物が検出されたと判定し、検出信号の電圧が予め設定された検出電圧以下であるとき、検出エリアに人物が検出されないと判定する。従って、検出エリアは、人物の所在によって生じる検出信号の電圧が、検出電圧より高い領域に相当する。
【００４０】
検出部２６０は、必ずしも赤外線センサでなくてもよい。検出部２６０は、検出エリア内の画像を撮像するカメラであってもよい。検出部２６０は、撮像した画像を検出信号として、制御部２２０に出力する。人物状態検出部２２４は、検出部２６０から入力された画像について公知の画像認識処理を行って検出エリア内の物体に人物が含まれるか否かを判定する。画像認識処理には、例えば、画像からの輪郭抽出、座標変換、変換後の輪郭と認識対象の物体である人物の輪郭との類似度の算出、類似度に基づく人物の特定、といった処理が含まれる。本実施形態では、画像認識処理において、１フレーム内の画像において人物の像が表されている部位が特定できればよく、必ずしも個々の人物が特定されなくてもよい。従って、検出エリアは、画像を撮像可能とする視野角内であって、カメラから人物までの距離が、その人物の像を所定の認識率以上の精度で認識できる範囲内となる領域に相当する。一般に、距離が大きいほど撮像された画像のうち人物が表れる範囲が小さすぎるために人物の認識率が低下する傾向がある。他方、距離が小さすぎても人物の認識率が低下することがある。その一因は、撮像される画像が人物の一部の部位を表す領域で占められ、他の部位における人物の特定に要する特徴点が表れなくなる点である。
なお、表示端末装置２０は、提示情報処理部２２２から入力される映像、音声を、所定の方式（例えば、ＵＳＢ、ＨＤＭＩ（登録商標）など）で別個の表示部、再生部に出力するための出力部（出力インタフェース、図示せず）を備えてもよい。出力部は、表示部、再生部と無線もしくは有線で接続される。出力部は、表示端末装置２０と着脱可能であってもよい。表示端末装置２０が出力部を備える場合には、表示部２３０、再生部２４０は省略され、中継機器として実現されてもよい。
【００４１】
（人物状態の検出）
次に、表示端末装置２０における人物状態の検出処理の一例について説明する。
図４は、本実施形態に係る検出処理の一例を示すフローチャートである。提示情報処理部２２２は、例えば、サーバ装置１０から当該検出処理の開始要求を受信するときに開始する。
（ステップＳ１０２）提示情報処理部２２２は、サーバ装置１０から停止要求を受信したか否かを判定する。受信したと判定するとき（ステップＳ１０２  ＹＥＳ）、図４に示す処理を終了する。受信していないと判定するとき（ステップＳ１０２  ＮＯ）、ステップＳ１０４の処理に進む。
（ステップＳ１０４）人物状態検出部２２４は、検出部２６０からの検出信号に基づいて検出エリアから人物を検出したか否かを判定する。検出した（検出ＯＫ）と判定するとき（ステップＳ１０４  ＹＥＳ）、ステップＳ１０６の処理に進む。検出していない（検出ＮＧ）と判定するとき（ステップＳ１０４  ＮＯ）、ステップＳ１１４の処理に進む。
【００４２】
（ステップＳ１０６）人物状態検出部２２４は、前回の検出状態（検出ステータス）が「検出ＯＫ」であるか否かを判定する。「検出ＯＫ」であるとき（ステップＳ１０６  ＹＥＳ）、ステップＳ１１０の処理に進む。「検出ＯＫ」ではないとき（ステップＳ１０６  ＮＯ）、ステップＳ１０８の処理に進む。
（ステップＳ１０８）人物状態検出部２２４は、「検出ＯＫ」を示す人物状態情報をサーバ装置１０に送信（通知）する。その後、ステップＳ１１０の処理に進む。従って、検出された人物状態情報が「検出ＮＧ」から「検出ＯＫ」に変化するとき、人物状態情報が送信され、「検出ＯＫ」が継続するときには、人物状態情報は送信されない。
（ステップＳ１１０）人物状態検出部２２４は、タイマによる経過時間の計数（カウント）を開始する。その後、ステップＳ１１２の処理に進む。
（ステップＳ１１２）人物状態検出部２２４は、経過時間が所定の期間Ｔ１（例えば、１分）以上になるとき、ステップＳ１０２の処理に戻る。従って、人物が検出されるときには、直前の人物状態情報の送信から期間Ｔ１が経過した後にステップＳ１０４において人物の検出の有無が判定される。
【００４３】
（ステップＳ１１４）人物状態検出部２２４は、前回の検出状態が「検出ＮＧ」であるか否かを判定する。「検出ＮＧ」であるとき（ステップＳ１１４  ＹＥＳ）、ステップＳ１１８の処理に進む。「検出ＮＧ」ではないとき（ステップＳ１１４  ＮＯ）、ステップＳ１１６の処理に進む。
（ステップＳ１１６）人物状態検出部２２４は、「検出ＮＧ」を示す人物状態情報をサーバ装置１０に送信（通知）する。その後、ステップＳ１１６の処理に進む。従って、検出された人物状態情報が「検出ＯＫ」から「検出ＮＧ」に変化するとき、人物状態情報が送信され、「検出ＮＧ」が継続するときには、人物状態情報は送信されない。
【００４４】
（ステップＳ１１８）人物状態検出部２２４は、タイマによる経過時間の計数を開始する。その後、ステップＳ１２０の処理に進む。
（ステップＳ１２０）人物状態検出部２２４は、経過時間が所定の期間Ｔ２（例えば、２〜３秒）に達するとき、ステップＳ１０２の処理に戻る。従って、人物が検出されないときには、直前の人物状態情報の送信から期間Ｔ２が経過した後にステップＳ１０４において人物の検出の有無が判定される。
【００４５】
（送信処理）
次に、サーバ装置１０における提示情報の送信処理の一例について説明する。
図５は、本実施形態に係る送信処理の一例を示すフローチャートである。
（ステップＳ２０２）提示情報処理部１２２は、操作入力部１４０から提示情報の提供に対する開始要求を示す操作信号が入力されるとき、表示端末装置２０への提示情報の提供を開始する。提示情報処理部１２２は、人物状態の検出処理に対する開始要求を表示端末装置２０に送信する。その後、ステップＳ２０４の処理に進む。
（ステップＳ２０４）提示情報処理部１２２は、操作入力部１４０から提示情報の提供に対する停止要求を示す操作信号が入力されたか否かを判定する。入力されたと判定されるとき（ステップＳ２０４  ＹＥＳ）、ステップＳ２１４の処理に進む。入力されていないと判定されるとき（ステップＳ２０４  ＮＯ）、ステップＳ２０６の処理に進む。
（ステップＳ２０６）人物状態取得部１２４は、表示端末装置２０から人物状態情報（検出通知）を受信したか否かを判定する。受信したと判定されるとき（ステップＳ２０６  ＹＥＳ）、ステップＳ２０８の処理に進む。受信していないと判定されるとき（ステップＳ２０６  ＮＯ）、ステップＳ２０４の処理に進む。
【００４６】
（ステップＳ２０８）情報量制御部１２６は、人物状態取得部１２４が受信した人物状態情報が人物の不検出（「検出ＮＧ」）を示すか否かを判定する。示すと判定されるとき（ステップＳ２０８  ＹＥＳ）、ステップＳ２１０の処理に進む。示さないと判定されるとき（ステップＳ２０８  ＮＯ）、ステップＳ２１２の処理に進む。
（ステップＳ２１０）情報量制御部１２６は、提供対象の提示情報について、その情報量を低減する。その後、ステップＳ２１２の処理に進む。
（ステップＳ２１２）情報量制御部１２６は、提示情報を表示端末装置２０に送信する。その後、ステップＳ２０４の処理に進む。
（ステップＳ２１４）提示情報処理部１２２は、人物状態の検出処理に対する停止要求を表示端末装置２０に送信する。また、提示情報処理部１２２は、表示端末装置２０への提示情報の送信を停止する。その後、図５に示す処理を終了する。
【００４７】
上述したように、表示端末装置２０の人物状態検出部２２４に設定する期間Ｔ２を期間Ｔ１よりも短くしておく。そのため、図４に示す処理により人物が検出される状態から人物が検出されない状態への変化よりも、人物が検出されない状態から人物が検出される状態への変化が迅速にサーバ装置１０に通知される。そして、図５に示す処理によりユーザが検出エリア内に所在する可能性がある期間のうち提示情報の情報量が減少する期間が少なくなる。従って、提示情報に対するユーザの満足度が高くなることが期待される。
【００４８】
なお、情報量制御部１２６が、提示情報の情報量の低減処理を開始するとき、情報量が低減していない提示情報の送信が終了してから、情報量を低減した提示情報の送信が開始されるまでの間、提示情報が送信されない時間（無送信時間、例えば、２〜５秒）が生じることがある。同様に、情報量制御部１２６が、提示情報の情報量の低減処理を終了するとき、情報量を低減した提示情報の送信が終了してから、情報量が低減していない提示情報の送信が開始されるまでの間、無送信時間が生じることがある。そのため、表示端末装置２０の提示情報処理部２２２は、提示情報に含まれる映像を表示部２３０に表示させることができないことがある。
【００４９】
そこで、提示情報処理部２２２は、人物状態検出部２２４が人物状態情報をサーバ装置１０に送信した後、所定期間（例えば、１０秒）内にサーバ装置１０から伝送される提示情報が中断したか否かを判定する。提示情報が中断したと判定するとき、提示情報処理部２２２は、予め設定された案内情報を表示部２３０に表示させてもよい。案内情報には、例えば、情報量の調整中であることを示すメッセージ、情報量の調整が一時的であり調整後に提示が再開されることを示すメッセージ、その他、任意のメッセージや画像が含まれてもよい。
なお、サーバ装置１０の提示情報処理部１２２は、提示情報の送信ならびに人物状態情報の検出処理の開始もしくは停止を指示する際、必ずしも操作信号の入力を契機としなくてもよい。例えば、提示情報処理部１２２は、サーバ装置１０への電源投入（ＯＮ）直後に、入力される提示情報の出力を開始し、人物状態情報の検出処理の開始要求を送信してもよい。また、提示情報処理部１２２は、電源停止（ＯＦＦ）の指示の受け付け後、供給される電源を断つまでの間に、入力される提示情報の出力を停止し、人物状態情報の検出処理の停止要求を送信してもよい。
また、サーバ装置１０の提示情報処理部１２２は、提示情報の送信ならびに人物状態情報の検出処理の開始もしくは停止を判定せず、表示端末装置２０から入力される人物状態情報を待ち受けてもよい。その場合、表示端末装置２０の人物状態検出部２２４は、サーバ装置１０からの制御によらずに、検出部２６０から検出信号が入力される限り、入力される検出信号に基づいて検出した人物状態情報をサーバ装置１０に送信してもよい。また、人物状態検出部２２４は、開始要求を示す操作信号の入力、電源投入、などの契機に、人物状態情報のサーバ装置１０への送信を開始してもよい。さらに、人物状態検出部２２４は、停止要求を示す操作信号の入力、電源停止、などの契機に、人物状態情報のサーバ装置１０への送信を停止してもよい。
また、サーバ装置１０の提示情報処理部１２２は、所定時間毎に人物状態情報要求を表示端末装置２０に送信し、その応答として人物状態情報を表示端末装置２０から受信してもよい。これに対し、表示端末装置２０の人物状態検出部２２４は、サーバ装置１０から人物状態情報要求を受信するとき、その時点において検出した人物状態情報をサーバ装置１０に送信する。
【００５０】
以上に説明したように、本実施形態に係るサーバ装置１０は、情報を提示する表示端末装置２０に、提示対象とする提示情報を送信する通信部１１４と、制御部１２０と、を備える。制御部１２０は、表示端末装置２０における人物の状態を示す人物状態情報を取得する人物状態取得部１２４と、人物状態情報に基づいて提示情報の情報量を制御する情報量制御部１２６を備える。
この構成により、サーバ装置１０から表示端末装置２０に送信される提示情報の情報量が表示端末装置２０における人物の状態に応じて制御される。
【００５１】
また、情報量制御部１２６は、人物状態情報が人物の不検出を示すとき、人物の検出を示すときよりも提示情報の情報量を低減する。
そのため、表示端末装置２０において人物が検出されないとき、提示情報の送信に係る無用な通信量を抑制することができる。
【００５２】
また、本実施形態では提示情報は映像を含む。情報量制御部１２６は、その映像のフレームレートの低下、その映像の解像度の低下、及びその映像の送信停止の少なくともいずれかを実行して、その情報量を低減する。
この構成により、送信される提示情報の通信量が低下するとともに、その情報としての価値が完全に失われない。従って、検出誤りもしくは検出エリア外に所在しているために検出されなかった人物が提示情報に接した場合において、その提示情報の最低限の内容を把握することができる。
【００５３】
（第２の実施形態）
次に、本発明の第２の実施形態について説明する。上述の実施形態と同一の構成については、同一の符号を付してその説明を援用する。以下の説明では、主に上述の実施形態との差異点について説明する。
本実施形態に係る表示端末装置２０の人物状態検出部２２４は、検出部２６０から入力される検出信号に基づいて視線方向検出処理を行い、検出した人物の視線方向を検出する。例えば、検出信号が画像である場合には、人物状態検出部２２４は、入力された画像について画像認識処理を行って人物の顔が表された顔領域を特定し、顔領域内の複数の特徴点の位置を特定する。特徴点には、左右各眼の目頭、目尻及び瞳孔が含まれる。人物状態検出部２２４は、左右各眼の目頭、目尻及び瞳孔のそれぞれの位置に基づいて視線方向を算出する。そして、人物状態検出部２２４は、検出した人物の視線方向が、表示端末装置２０の方向であるか否かを判定する。例えば、検出された人物Ａの視線方向が図６（Ａ）の矢印で示すように人物Ａの位置を基準とする表示端末装置２０の表示領域の見込み角内にあるか、図６（Ｂ）の矢印で示すように表示端末装置２０の表示領域の見込み角外にあるかが判定される。人物状態検出部２２４は、人物の状態として視線方向が表示端末装置２０の方向であるか否かを示す人物状態情報をサーバ装置１０に通信部２１４を介して送信する。
【００５４】
なお、検出信号として用いられる画像は、検出エリア内に所在する物体の表面から到来する可視光線に基づく可視光画像であってもよいし、赤外線に基づく赤外線画像であってもよい。
また、検出部２６０は、ユーザの左右各眼周辺の筋電位信号の検出器（図示せず）を備え、筋電位信号を検出信号として表示端末装置２０に出力してもよい。その場合、人物状態検出部２２４は、例えば、検出部２６０から入力される筋電位信号についてＥＯＧ（Ｅｌｅｃｔｒｏ−ｏｃｕｌｏｇｒａｍ）法を用いてユーザの左右各眼の視線方向を検出することができる。
【００５５】
サーバ装置１０の人物状態取得部１２４は、表示端末装置２０から人物状態情報を受信し、受信した人物状態情報を情報量制御部１２６に出力する。情報量制御部１２６は、人物状態取得部１２４から入力される人物状態情報が示す視線方向が表示端末装置２０の方向であるとき、入力される提示情報について、その情報量を低減せずに表示端末装置２０に通信部１１４を介して送信する。情報量制御部１２６は、人物状態情報が示す視線方向が表示端末装置２０の方向とは異なるとき、入力される提示情報の情報量を低減する。
【００５６】
（人物状態の検出）
次に、表示端末装置２０における人物状態の検出処理の一例について説明する。本実施形態では、人物状態として検出エリア内の人物の視線方向が検出される。
図７は、本実施形態に係る検出処理の一例を示すフローチャートである。
図７に示す処理は、図４に示す処理のうち、ステップＳ１０４に代えてステップＳ１３０の処理を有する。提示情報処理部２２２は、サーバ装置１０から停止要求を受信していないと判定するとき（ステップＳ１０２  ＮＯ）、ステップＳ１３０の処理に進む。
【００５７】
（ステップＳ１３０）人物状態検出部２２４は、検出部２６０から入力される検出信号に基づいて検出した人物の視線方向を検出し、検出した視線方向が表示端末装置２０の方向であるか否かを判定する。表示端末装置２０の方向である（検出ＯＫ）と判定されるとき（ステップＳ１３０  ＹＥＳ）、ステップＳ１０６の処理に進む。表示端末装置２０の方向とは異なる（検出ＮＧ）と判定されるとき（ステップＳ１３０  ＮＯ）、ステップＳ１１４の処理に進む。
【００５８】
従って、ステップＳ１０８の処理において、人物状態検出部２２４は、視線方向が表示端末装置２０の方向であることを示す人物状態情報をサーバ装置１０に送信する。サーバ装置１０の情報量制御部１２６は、その人物状態情報の受信に応じて提示情報の情報量の低減を停止する。ステップＳ１１６の処理において、人物状態検出部２２４は、視線方向が表示端末装置２０の方向とは異なることを示す人物状態情報をサーバ装置１０に送信する。情報量制御部１２６は、その人物状態情報の受信に応じて提示情報の情報量を低減する処理を開始する。
【００５９】
以上に説明したように、本実施形態において、人物状態情報は検出された人物の視線方向を示す情報を含む。サーバ装置１０の情報量制御部１２６は、視線方向が検出された人物から表示端末装置２０への方向と異なるとき、人物状態情報が示す視線方向が表示端末装置２０の方向であるときよりも提示情報の情報量を低減する。
この構成により、表示端末装置２０において検出された人物が表示端末装置２０を見ていないときに、見ているときよりも伝送される提示情報の通信量が減少する。無用な通信量を低減するとともに、ネットワーク資源の活用が図られる。
【００６０】
（第３の実施形態）
次に、本発明の第３の実施形態について説明する。上述の実施形態と同一の構成については、同一の符号を付してその説明を援用する。以下の説明では、主に上述の実施形態との差異点について説明する。
【００６１】
図８は、本実施形態に係るデータ伝送システムＳ１の概略を示す概念図である。
データ伝送システムＳ１は、サーバ装置１０と、表示端末装置２０と、さらにユーザ端末装置３０と、アクセスポイント４０と、を含んで構成される。
【００６２】
ユーザ端末装置３０は、表示端末装置２０とは別個の端末装置であって、表示端末装置２０のユーザが使用する電子機器である。ユーザ端末装置３０は、例えば、多機能携帯電話機（スマートフォン）、タブレット端末装置、ＰＣなど、のいずれの形態でもよい。ユーザ端末装置３０は、アクセスポイント４０を介してサーバ装置１０と接続することが可能とする。ユーザ端末装置３０は、図９に示すようにユーザによる自装置への注目の有無を検出する。ユーザ端末装置３０は、自装置への注目が検出されるとき、その注目を示す注目情報を生成する。注目情報は、例えば、ユーザ端末装置３０が備える操作入力部（図示せず）への操作の受け付けを示す操作入力情報である。操作を行う場合には、ユーザは操作対象であるユーザ端末装置３０に注目するためである。注目情報は、ユーザの視線方向が自装置への方向であることを示す視線情報であってもよい。ユーザ端末装置３０は、視線情報を取得するために、第２の実施形態に係る表示端末装置２０の人物状態検出部２２４と検出部２６０と同様の構成を備えてもよい。注目情報には、ユーザ端末装置３０の識別情報が付加されてもよい。ユーザ端末装置３０は、生成した注目情報をサーバ装置１０にアクセスポイント４０を介して送信する（図９（Ｂ））。
【００６３】
アクセスポイント４０は、サーバ装置１０とユーザ端末装置３０との間で送受信される各種のデータを中継する中継装置である。アクセスポイント４０は、サーバ装置１０と表示端末装置２０との間における通信に用いられる通信方式とは、異なる通信方式（例えば、ＩＥＥＥ８０２．１１ｂ／ｇ／ｎ）を用いてサーバ装置１０とユーザ端末装置３０のそれぞれと接続してもよい。なお、ユーザ端末装置３０は、アクセスポイント４０と一体化した単一の端末装置として実現されてもよい。
【００６４】
サーバ装置１０の制御部１２０は、ユーザ端末装置３０の識別情報（例えば、端末ＩＤなど）を表示端末装置２０の識別情報と関連づけて形成された登録機器情報を記憶部１３０に予め記憶しておく。ユーザ端末装置３０の識別情報は、操作入力部１４０から入力された操作信号で指示されてもよい。
【００６５】
人物状態取得部１２４は、人物状態情報の一形態としてアクセスポイント４０を介してユーザ端末装置３０から注目情報を受信する。また、人物状態取得部１２４は、記憶部１３０から登録機器情報を読み出す。人物状態取得部１２４は、受信した注目情報に付加されたユーザ端末装置３０の識別情報を抽出し、抽出した識別情報が登録機器情報に含まれるか否かを判定する。この判定により、ユーザ端末装置３０が予め登録された登録機器であるか否かが判定される。登録機器情報に含まれると判定するとき、人物状態取得部１２４は、受信した注目情報を情報量制御部１２６に出力する。
【００６６】
情報量制御部１２６は、人物状態取得部１２４からユーザ端末装置３０への注目を示す注目情報が入力されるとき、入力される提示情報の情報量を低減し、情報量を低減した提示情報を表示端末装置２０に通信部１１４を介して送信する。情報量制御部１２６は、ユーザ端末装置３０への注目を示す注目情報が入力されないとき、入力される提示情報について、その情報量を低減せずに表示端末装置２０に通信部１１４を介して送信する。
【００６７】
（人物状態の検出）
次に、表示端末装置２０における人物状態の例として、表示端末装置２０と関連づけて登録されたユーザ端末装置３０への注目状態の検出処理について説明する。以下の説明では、注目状態として、検出エリア内の人物の視線方向が検出される。
図１０は、本実施形態に係る検出処理の一例を示すフローチャートである。ユーザ端末装置３０は、当該検出処理をサーバ装置１０から開始要求を受信するときに開始する。
（ステップＳ３０２）ユーザ端末装置３０は、サーバ装置１０から停止要求を受信したか否かを判定する。受信したと判定するとき（ステップＳ３０２  ＹＥＳ）、図１０に示す処理を終了する。受信していないと判定するとき（ステップＳ３０２  ＮＯ）、ステップＳ３０４の処理に進む。
（ステップＳ３０４）ユーザ端末装置３０は、ユーザの自装置への注目を検出したか否かを判定する。検出した（検出ＯＫ）と判定するとき（ステップＳ３０４  ＹＥＳ）、ステップＳ３１４の処理に進む。検出していない（検出ＮＧ）と判定するとき（ステップＳ３０４  ＮＯ）、ステップＳ３０６の処理に進む。
【００６８】
（ステップＳ３０６）ユーザ端末装置３０は、前回の検出した注目情報（検出ステータス）が「検出ＮＧ」であるか否かを判定する。「検出ＮＧ」であるとき（ステップＳ３０６  ＹＥＳ）、ステップＳ３１０の処理に進む。「検出ＮＧ」ではないとき（ステップＳ３０６  ＮＯ）、ステップＳ３０８の処理に進む。
（ステップＳ３０８）ユーザ端末装置３０は、人物状態情報として「検出ＮＧ」を示す注目情報をサーバ装置１０に送信（通知）する。その後、ステップＳ３１０の処理に進む。従って、検出された注目情報が「検出ＯＫ」から「検出ＮＧ」に変化するとき、注目情報が送信され、「検出ＮＧ」が継続するときには、注目情報は送信されない。
（ステップＳ３１０）ユーザ端末装置３０は、タイマによる経過時間の計時を開始する。その後、ステップＳ３１２の処理に進む。
（ステップＳ３１２）ユーザ端末装置３０は、経過時間が所定の期間Ｔ１（例えば、１分）に達したとき、ステップＳ３０２の処理に戻る。従って、自装置への注目が検出されないときには、直前の注目情報の送信からの経過時間が期間Ｔ１に達した後にステップＳ３０４において注目の有無が判定される。
【００６９】
（ステップＳ３１４）ユーザ端末装置３０は、前回の検出状態が「検出ＯＫ」であるか否かを判定する。「検出ＯＫ」であるとき（ステップＳ３１４  ＹＥＳ）、ステップＳ３１８の処理に進む。「検出ＯＫ」ではないとき（ステップＳ３１４  ＮＯ）、ステップＳ３１６の処理に進む。
（ステップＳ３１６）ユーザ端末装置３０は、人物状態情報として「検出ＯＫ」を示す注目情報をサーバ装置１０に送信（通知）する。その後、ステップＳ３１８の処理に進む。従って、検出された注目情報が「検出ＮＧ」から「検出ＯＫ」に変化するとき、注目情報が送信され、「検出ＯＫ」が継続するときには、注目情報は送信されない。
（ステップＳ３１８）ユーザ端末装置３０は、タイマによる経過時間の計数を開始する。その後、ステップＳ３２０の処理に進む。
（ステップＳ３２０）ユーザ端末装置３０は、経過時間が所定の期間Ｔ２（例えば、２〜３秒）に達したとき、ステップＳ３０２の処理に戻る。従って、自装置への注目が検出されるときには、直前の注目情報の送信からの経過時間が期間Ｔ２に達した後にステップＳ３０４において注目の有無が判定される。
【００７０】
なお、ユーザ端末装置３０に設定する期間Ｔ２を期間Ｔ１よりも短くしておくことで、注目が検出される状態から注目が検出されない状態への変化よりも、注目が検出されない状態から注目が検出される状態への変化の方がサーバ装置１０に迅速に通知される。よって、ユーザが提示情報に注目する可能性がある期間のうち、提示情報の情報量がサーバ装置１０により低減される期間が少なくなる。そのため、提示情報に接するユーザの満足度が高くなることが期待される。
【００７１】
（送信処理）
次に、サーバ装置１０における提示情報の送信処理の一例について説明する。
図１１は、本実施形態に係る送信処理の一例を示すフローチャートである。
図１１に示す処理は、図５に示す処理のうち、ステップＳ２０８に代えてステップＳ２２０の処理を有する。ステップＳ２０６において、人物状態取得部１２４は、ユーザ端末装置３０から人物状態情報として注目情報（検出通知）を受信したか否かを判定する。受信したと判定されるとき（ステップＳ２０６  ＹＥＳ）、ステップＳ２２０の処理に進む。受信していないと判定されるとき（ステップＳ２０６  ＮＯ）、ステップＳ２０４の処理に進む。
【００７２】
（ステップＳ２２０）情報量制御部１２６は、人物状態取得部１２４が受信した注目情報がユーザ端末装置３０への注目（「検出ＯＫ」）を示すか否かを判定する。示すと判定されるとき（ステップＳ２２０  ＹＥＳ）、ステップＳ２１０の処理に進む。示さないと判定されるとき（ステップＳ２２０  ＮＯ）、ステップＳ２１２の処理に進む。
【００７３】
以上に説明したように、本実施形態に係るサーバ装置１０の情報量制御部１２６は、人物状態情報に表示端末装置２０と関連付けて登録されたユーザ端末装置３０への検出された人物の注目を示す注目情報が含まれるとき、注目情報が含まれないときよりも提示情報の情報量を低減する。
また、情報量制御部１２６は、検出した人物の視線方向が表示端末装置２０と関連付けて登録されたユーザ端末装置３０への方向であるとき、その視線方向がユーザ端末装置３０への方向であるときよりも提示情報の情報量を低減する。
この構成により、検出された人物がユーザ端末装置３０に注目しているとき、表示端末装置２０に送信される提示情報の情報量が減少する。そのため、提示情報の表示端末装置２０への送信に係る無用な通信量を低減することができる。低減した通信量によりネットワーク資源の有効活用が図られる。
【００７４】
（第４の実施形態）
次に、本発明の第４の実施形態について説明する。上述の実施形態と同一の構成については、同一の符号を付してその説明を援用する。以下の説明では、主に上述の実施形態との差異点について説明する。
【００７５】
本実施形態に係る表示端末装置２０の人物状態検出部２２４は、検出部２６０から入力される検出信号に基づいて自装置から検出した人物までの距離を検出する。
ここで、検出部２６０は、赤外線その他の信号を放射する信号源と、放射した信号を反射する物体の表面から到来する反射信号と放射信号との干渉波を受信する受信部とを備えてもよい。受信部は、受信した干渉波を検出信号として表示端末装置２０に出力する。人物状態検出部２２４は、検出部２６０から入力される干渉波から反射信号と放射信号との位相差を定め、定めた位相に基づいて信号を反射する物体のうち、上述した手法に基づいて検出された人物までの距離を算出してもよい。
【００７６】
検出部２６０から検出信号として画像が入力される場合には、人物状態検出部２２４は、入力される画像に対して画像認識処理を行って得られる人物の領域の大きさと部位に基づいて、検出部２６０から人物までの距離を定めてもよい。一般に、検出部２６０から人物までも距離が大きくなるほど、検出部２６０に対して人物が表れる部分の視野角が小さくなる。この距離と視野角との関係に基づいて、人物状態検出部２２４は、撮影された画像のうち人物が表れている領域の大きさから算出される視野角から、その人物までの距離を算出することができる。
【００７７】
また、検出部２６０は、少なくとも２個の撮像素子を含んで構成されるカメラユニットとして実現されてもよい。各撮像素子は、それぞれ撮影した画像を検出信号として表示端末装置２０に出力する。人物状態検出部２２４は、各撮像素子が撮影した画像間の視差に基づいて各被写体までの距離を示す距離画像を生成し、生成した距離画像を参照して、いずれかの撮像素子が撮影した画像が示す人物の方向と距離を特定する。
人物状態検出部２２４は、人物の検出の有無の情報に、検出した人物までの距離の情報を含む人物状態情報を、通信部２１４を介してサーバ装置１０に送信する。
【００７８】
人物状態取得部１２４は、表示端末装置２０から人物までの距離を示す人物状態情報を受信し、受信した人物状態情報を情報量制御部１２６に出力する。
情報量制御部１２６は、人物状態取得部１２４から入力される人物状態情報が示す距離に基づいて、入力される提示情報の情報量を制御する。情報量制御部１２６は、人物状態情報が示す距離が予め定めた距離の閾値以下であるとき、入力される提示情報について、その情報量を低減せずに表示端末装置２０に通信部１１４を介して送信する（図１２（Ａ））。また、情報量制御部１２６は、その距離が予め定めた距離の閾値よりも大きいとき、入力される提示情報の情報量を低減し、情報量を低減した提示情報を表示端末装置２０に通信部１１４を介して送信する（図１２（Ｂ））。
【００７９】
（人物状態の検出）
次に、表示端末装置２０における人物状態の検出処理の一例について説明する。
図１３は、本実施形態に係る検出処理の一例を示すフローチャートである。
図１３に示す処理は、図４のステップＳ１０４において、表示端末装置２０の人物状態検出部２２４が人物を検出するとき、検出部２６０からの検出信号に基づいて自装置から検出した人物までの距離を検出する。また、図１３に示す処理は、ステップＳ１４０の処理をさらに有し、図４のステップＳ１０８に代えてステップＳ１４２の処理を有する。
ステップＳ１０６において、人物状態検出部２２４は、前回の検出状態（検出ステータス）が「検出ＯＫ」と判定するとき（ステップＳ１０６  ＹＥＳ）、ステップＳ１４０の処理に進む。
（ステップＳ１４０）人物状態検出部２２４は、検出した人物の距離が、所定の距離の閾値よりも大きいか、否かを示す距離ステータスを判定し、さらに、距離ステータスが、前回検出の距離ステータスから変化したか否かを判定する。前回の距離ステータスから変化したと判定するとき（ステップＳ１４０  ＹＥＳ）、ステップＳ１４２の処理に進み、前回の距離ステータスから変化していないと判定するとき（ステップＳ１４０  ＮＯ）、ステップＳ１１０の処理に進む。
（ステップＳ１４２）人物状態検出部２２４は、「検出ＯＫ」の情報と、検出した距離の情報を含む人物状態情報をサーバ装置１０に送信（通知）する。その後、ステップＳ１１０の処理に進む。
【００８０】
（送信処理）
次に、サーバ装置１０における提示情報の送信処理の一例について説明する。
図１４は、本実施形態に係る送信処理の一例を示すフローチャートである。
図１４に示す処理は、図５のステップＳ２０８に代えてステップＳ２３０の処理を有する。
（ステップＳ２３０）情報量制御部１２６は、人物状態取得部１２４が受信した人物状態情報が人物の不検出（「検出ＮＧ」）を示すか、又は人物状態情報が人物の検出を示し、かつ、その人物の距離が所定の距離の閾値よりも大きい（「遠」）か、を判定する。人物状態情報が人物の不検出を示すか、又は人物状態情報が人物の検出を示し、かつその人物の距離が所定の距離の閾値よりも大きいと判定されるとき（ステップＳ２３０  ＹＥＳ）、ステップＳ２１０の処理に進む。人物状態情報が人物の検出を示し、かつその人物の距離が所定の距離の閾値以下であると判定されるとき（ステップＳ２３０  ＮＯ）、ステップＳ２１２の処理に進む。
【００８１】
以上に、説明したように、本実施形態に係る人物状態情報は、表示端末装置２０と検出された人物との間の距離の情報を含む。情報量制御部１２６は、その距離が所定の距離の閾値よりも大きいとき、その閾値以下であるときよりも提示情報の情報量を低減する。
この構成により、表示端末装置２０から検出された人物までの距離が大きいとき、提示情報の情報量が低減される。また、人物までの距離が大きいときには、その人物が提示情報を見ているときでも、その情報量は必ずしも十分に大きくなくてもよい。そのため、提示情報の表示端末装置２０への送信に係る無用な通信量を低減することができる。低減した通信量によりネットワーク資源の有効活用が図られる。なお、情報量制御部１２６が、検出された人物の距離が「近」、「遠」、人物の不検出「検出ＮＧ」の各段階（計３段階）のそれぞれについて、提示情報の通信量を定めてもよい。その場合、情報量制御部１２６は、「近」、「遠」、「検出ＮＧ」の順に情報量を少なくしてもよい。
【００８２】
（変形例）
以上、図面を参照してこの発明の実施形態について説明してきたが、具体的な構成は上述のものに限られることはなく、この発明の要旨を逸脱しない範囲内において様々な設計変更等をすることが可能である。
例えば、上述の実施形態では、主にサーバ装置１０の受信部１１２が放送波で搬送された提示情報を受信し、通信部１１４が受信した提示情報もしくは情報量を低減した提示情報を逐次に表示端末装置２０に送信する場合を例にした。その場合、情報量制御部１２６は、人物状態取得部１２４から入力される人物状態情報に基づいて、提示情報の情報量を低減するか否かを判定し、低減すると判定するときに、自部がその情報量を低減する。その場合には、提示情報の情報量が元の情報量よりも低減している区間（トラフィック緩和区間）は、データ伝送システムＳ１のうちサーバ装置１０から表示端末装置２０までの区間となる（図１５）。
【００８３】
提示情報処理部１２２は、受信部１１２によりネットワークＮＷを介して通信可能に接続された供給元装置５０から提示情報を取得してもよい。提示情報処理部１２２は、例えば、操作入力部１４０からの操作信号で指定されるＵＲＬ（Ｕｎｉｆｏｒｍ  Ｒｅｓｏｕｒｃｅ  Ｌｏｃａｔｏｒ）に基づいて供給元装置５０とその提示情報の所在を特定する。供給元装置５０は、例えば、コンテンツ提供事業者が管理するコンテンツサーバである。ここで、情報量制御部１２６は、取得した提示情報の情報量を低減すると判定するとき、情報量低減要求を供給元装置５０に送信してもよい。情報量低減要求は、その提示情報の情報量を指示するための制御情報である。供給元装置５０は、サーバ装置１０から情報量低減要求を受信するとき、その提示情報の情報量を低減し、情報量を低減した提示情報をサーバ装置１０に送信する。サーバ装置１０の提示情報処理部１２２は、供給元装置５０から受信した提示情報を表示端末装置２０に送信する。従って、トラフィック緩和区間は、さらに供給元装置５０を加えて構成されるデータ伝送システムＳ１のうち供給元装置５０からサーバ装置１０を経て、表示端末装置２０に至る区間となる（図１６）。即ち、図１６に示すトラフィック緩和区間は、図１５に示すトラフィック緩和区間よりも広範となる。従って、図１５に示す例よりも、図１６に示す例の方が、ネットワーク資源の活用が図られる。
【００８４】
また、サーバ装置１０の提示情報処理部１２２は、予め記憶部１３０に記憶された提示情報のうち、操作入力部１４０から入力される提示情報を読み出し、読み出した提示情報を情報量制御部１２６に出力してもよい。情報量制御部１２６に出力された提示情報は、上述したように表示端末装置２０に提供される。
さらに、提示情報処理部１２２は、操作入力部１４０から録画要求を示す操作信号が入力されるとき、抽出した提示情報を記憶部１３０に記憶してもよい（録画）。表示端末装置２０から再生要求を受信したことに応じて、再生要求で指示された提示情報を記憶部１３０から読み出し、読み出した提示情報を情報量制御部１２６に出力してもよい（再生）。
【００８５】
また、サーバ装置１０と表示端末装置２０とを接続するネットワークＮＷは、無線に限られず有線であってもよい。ここで、サーバ装置１０と表示端末装置２０は、互いに一体化した単一の電子機器（例えば、テレビジョン受信装置）として実現されてもよい。その場合、ネットワークＮＷに対応する通信媒体としてデータバスが用いられてもよい。この場合においても、データバスの伝送容量の有効活用が図られる。なお、一体化により構成された電子機器において、相互に重複する構成部（例えば、通信部１１４、２１４の一方、提示情報処理部１２２、２２２の一方、通信部１１４、２１４の一方）が省略されてもよい。
【００８６】
また、上述した各実施形態では、情報量制御部１２６が主に人物状態情報に基づいて提示情報の情報量を低減するか否かの２段階の制御を行う場合を例にしたが、これには限られない。情報量制御部１２６は、人物状態情報に基づいてＮ（Ｎは、２よりも大きい整数）段階のうちいずれの段階に情報量を制御してもよい。その際、情報量制御部１２６は、人物状態情報に含まれる複数の情報要素の組み合わせに基づいて情報量を定めてもよい。また、段階に応じて情報量低減処理の種類が異なってもよいし、情報量の低減の度合いが異なってもよい。
【００８７】
図１７は、情報量の段階毎に人物状態情報に関連付けられた情報量低減処理を示す制御テーブルの一例である。
図１７の第２行は、段階１に対応付けられる人物状態情報が人物の検出、距離「近」、及び視線方向が表示端末装置２０の方向であることを示す。段階１に対応付けられた情報量低減処理の「なし」は、情報量制御部１２６が、情報量低減処理を行わないことを示す。距離「近」とは、人物状態情報が示す距離が予め定めた距離の閾値以下であることを示す。
図１７の第３行は、段階２に対応付けられている人物状態情報が人物の検出、及び距離「遠」、視線方向が表示端末装置２０の方向ではない、もしくはユーザ端末装置３０への注目を示す。段階２に対応付けられた情報量低減処理は、フレームレートの低下、又は解像度低下のいずれかであることを示す。
図１７の第４行は、段階３に対応付けられている人物状態情報が人物を検出していないことを示す。段階３に対応付けられた情報量低減処理は、映像停止（音声のみ）を示す。
【００８８】
図１８は、図１７に示す制御テーブルに基づく情報量制御の一例を示すフローチャートである。
（ステップＳ４０２）情報量制御部１２６は、人物状態取得部１２４から入力される人物状態情報が、人物の検出を示すか否かを判定する。人物の検出を示すとき（ステップＳ４０２  ＹＥＳ）、ステップＳ４０４の処理に進む。人物の検出を示さないとき（ステップＳ４０２  ＮＯ）、ステップＳ４１２の処理に進む。
【００８９】
（ステップＳ４０４）情報量制御部１２６は、人物状態取得部１２４から入力される人物状態情報が示す距離が、予め定めた距離の閾値以下（距離「近」）であるか否かを判定する。距離の閾値以下であると判定されるとき（ステップＳ４０４  ＹＥＳ）、ステップＳ４０６の処理に進む。距離の閾値よりも大きいと判定されるとき（ステップＳ４０４  ＮＯ）、ステップＳ４１０の処理に進む。
【００９０】
（ステップＳ４０６）情報量制御部１２６は、人物状態取得部１２４から入力される人物状態情報が示す視線方向が、表示端末装置２０の方向であるか否かを判定する。表示端末装置２０の方向であると判定されるとき（ステップＳ４０６  ＹＥＳ）、ステップＳ４０８の処理に進む。表示端末装置２０の方向とは異なると判定されるとき（ステップＳ４０６  ＮＯ）、ステップＳ４１０の処理に進む。
【００９１】
（ステップＳ４０８）情報量制御部１２６は、人物状態取得部１２４から入力される人物状態情報が、ユーザ端末装置３０への注目を示す注目情報を含むか否かを判定する。注目情報を含むと判定されるとき（ステップＳ４０８  ＹＥＳ）、ステップＳ４１０の処理に進む。注目情報を含まないと判定されるとき（ステップＳ４０８  ＮＯ）、情報量制御部１２６は、提示情報に対して情報量低減処理を行わずに（段階１）、図１８の処理を終了する。
【００９２】
（ステップＳ４１０）情報量制御部１２６は、提示情報に対してフレームレートの低下、又は解像度の低下を実行する（段階２）。その後、図１８の処理を終了する。
（ステップＳ４１２）情報量制御部１２６は、提示情報に映像と音声が含まれるとき、映像の送信を停止し、音声を表示端末装置２０に送信する（段階３）。その後、図１８の処理を終了する。
【００９３】
また、上述の各実施形態では、表示端末装置２０が人物状態検出部２２４を備える場合を例にしたが、これには限られない。表示端末装置２０が人物状態検出部２２４を備える代わりに、サーバ装置１０の人物状態取得部１２４が、人物状態検出部２２４と同様の構成を備えてもよい。その場合、人物状態取得部１２４は、検出部２６０から通信部１１４を介して受信した検出信号に基づいて人物状態情報を取得する。検出部２６０は、表示端末装置２０のその他の部分とは別体であってもよい。検出部２６０は、サーバ装置１０と一体化していてもよいし、検出信号を直接サーバ装置１０に送信してもよいし、表示端末装置２０の通信部２１４を中継して送信してもよい。なお、検出部２６０がサーバ装置１０と一体化している場合には、検出部２６０が利用者状態情報取得部として機能する。また、検出部２６０がサーバ装置１０と一体化しておらず、検出部２６０が送信した検出信号をサーバ装置１０が通信部を介して受信する場合には、送受信部１１０が利用者情報取得部として機能する。
なお、上述の各実施形態における「利用者」とは、提示装置の操作、提示装置から提示される情報を視聴する視聴者など、提示装置を積極的に利用する人物に限られない。「利用者」には、提示装置の周囲において提示装置が提示する情報を受け取る可能性がある人物も含まれる。
また、第３の実施形態では、ユーザ端末装置３０とサーバ装置との間における各種のデータの送受信を、アクセスポイント４０を介して行う場合を例にしたが、これには限られない。サーバ装置１０とユーザ端末装置３０との間の通信で用いられる通信方式（例えば、ＩＥＥＥ８０２．１５．１）によっては、アクセスポイント４０が省略されてもよい。その場合には、サーバ装置１０とユーザ端末装置３０は、各種のデータを相互間で直接送信又は受信する。また、サーバ装置１０とユーザ端末装置３０との間の通信は、中継点として表示端末装置２０を介して行われてもよい。
【符号の説明】
【００９４】
Ｓ１、Ｓ２…データ伝送システム、１０…サーバ装置、２０…表示端末装置、３０…ユーザ端末装置、４０…アクセスポイント、１１０…送受信部、１１２…受信部、１１４…通信部、１２０…制御部、１２２…提示情報処理部、１２４…人物状態取得部、１２６…情報量制御部、１３０…記憶部、１４０…操作入力部、２１０…送受信部、２１４…通信部、２２０…制御部、２２２…提示情報処理部、２２４…人物状態検出部、２３０…表示部、２４０…再生部、２６０…検出部
【図１】
2018207445.tif 000003
【図２】
2018207445.tif 000004
【図３】
2018207445.tif 000005
【図４】
2018207445.tif 000006
【図５】
2018207445.tif 000007
【図６】
2018207445.tif 000008
【図７】
2018207445.tif 000009
【図８】
2018207445.tif 000010
【図９】
2018207445.tif 000011
【図１０】
2018207445.tif 000012
【図１１】
2018207445.tif 000013
【図１２】
2018207445.tif 000014
【図１３】
2018207445.tif 000015
【図１４】
2018207445.tif 000016
【図１５】
2018207445.tif 000017
【図１６】
2018207445.tif 000018
【図１７】
2018207445.tif 000019
【図１８】
2018207445.tif 000020